(57)【要約】  本発明は、搭乗者が空港ロビーにおいて飛行を待つ間のインターネットアクセス及び他のコンピュータサービスのためのマウス、全ての機能を有する折り畳みキーボード及びモニタを有する一つのトロリーにより理解される。荷物トロリー（１）上に取り付けられるのは、ＣＰＵ及びバッテリーを保持するために下方区画（３）がその上に固定される組み込まれた支持バー（８）である。下方荷物かご（２）上には、キーボード（４）を保持するための上方区画（５）が設置され、前記荷物かごの後方には下方区画（３）もまた後方又は前方に広告のための空間を提供する方法によりモニタ（６）が設置され、前記空間は宣伝部（propaganda）（９）であって、前記下方区画（３）は携帯電話充電部を受け取るためのメスコネクタ（１０）をも有する。
2009521360.tif 000002
【特許請求の範囲】
【請求項１】
内部に設置された下方区画若しくは下方カバー（０３）の内部に保護され、又は支持バー（０８）を通じて保護され、かつモニタ（０６）及びキーボード（０４）に相互結合された組み込み型パーソナルコンピュータを有する空港荷物トロリー（０１）であることを特徴とする、組み込み型パーソナルコンピュータを有する空港荷物トロリー。
【請求項２】
荷物かご（０２）の後方部分内若しくは上方カバー（０７）上に液晶又は類似のモニタ（０６）を設置し、前記荷物かご（０２）の下方部分内に上方区画（０４）を設置し、又は前記カバー（０７）上にマウスを有するキーボード（０４）若しくは分離されたマウス（４‐Ａ）を設置したことをも特徴とする、請求項１に記載の組み込み型パーソナルコンピュータを有する空港荷物トロリー。
【請求項３】
図７乃至１０に示されるように、前記トロリーの外壁上又は下方区画（０３）の側面上に直接的に広告媒体用の空間（０９）を含むことをも特徴とする、請求項１又は２に記載の組み込み型パーソナルコンピュータを有する空港荷物トロリー。
【請求項４】
前記パーソナルコンピュータの前記上方カバー（０７）の内部又は下方区画（０３）内に、少なくとも携帯電話再充電のためのメスコネクタ（１０）と、ウェブカメラ若しくは類似のタイプのパーソナルカメラ（１９）と、ＵＳＢ接続部（１４）を含むことをも特徴とする、請求項１乃至３のいずれかに記載の組み込み型パーソナルコンピュータを有する空港荷物トロリー。
【発明の詳細な説明】
【技術分野】
【０００１】
本発明は、搭乗者が空港ロビーにおいて自分の飛行を待つ間のインターネットへのアクセス及び他の関連するコンピュータ活動を可能にする方法により、視覚化及びタイピングのための折り畳まれたモニタ及びキーボード並びにマウス機能を有する組み込み型パーソナルコンピュータを有する空港荷物トロリーに関する。
【背景技術】
【０００２】
「ＬＡＮハウス」のような専門化された事業の場所に設置されたコンピュータにおけるインターネット接続のために、例えば空港におけるような公共の場所に位置するコンピュータブースにおいてさえ、時間毎に金銭を支払うための多数の利用可能な方法が存在するが、当該装置の容易さを提供し、大きな部屋の内部において自由に循環する任意の他のものは、その所有者を有する私的なノートブックを除いて知られていない。今日まで、特定の場所又は状況における当該活動の固有のリスクに起因して、公共の場所において自由に循環することが可能ないかなるパーソナルコンピュータレンタルも知られておらず、これを実行不可能なサービスにしている。他面において、空港荷物トロリーは荷物を運搬するが、それらは搭乗者に容易さを提供するように使用されていない。
【発明の開示】
【課題を解決するための手段】
【０００３】
本発明は、上記機会を考慮して開発され、搭乗者の空港における滞在中に搭乗者と一緒に常に循環する時点において、空港内において使用されるための荷物トロリーであり、搭乗者の自己の責任の下において新規なサービスを提供し、搭乗者の荷物が所在するパーソナルコンピュータ組み込み型のトロリーの使用を通じて搭乗者が数個のタスク、例えばインターネットアクセス、文書のタイプ、記録、動画を見ること、音楽を聴くこと及び最終的にマイクロコンピュータによって提供される全てのリソースの使用を可能にする。
【発明を実施するための最良の形態】
【０００４】
より良く理解されるべき本発明は、添付の図面と調和して説明される。
【０００５】
添付の図面に示されたものによれば、空港荷物トロリー（０１）内には、支持バー（０８）又はカバー（３‐Ａ，０７及び１６）により保護された内部区画が組み込まれる。そして、支持バー（０８）からは下方区画（０３）が組み込まれ、そこにはコンピュータＣＰＵ（１８）及びそのバッテリーが設置される。前記バッテリーは最低二時間の自律性を有する。そして、図７〜１０に示された構成において、コンピュータ（１８）は下方カバー（３‐Ａ）とカバー（１６）を有する中間区画（１７）の内部のバッテリーによって保護された下方区画内に設置される。
【０００６】
図１〜６に示された構成について同一の方法により、荷物かご（０２）の下方部分にはキーボード（０４）を受け取る上方区画（０５）が設置され、前記荷物かご（０２）の後方部分には液晶タイプ又は類似のモニタ（０６）が設置される一方、図７〜１０に示される構成内には、上方カバー（０７）により保護された上方部分の内部に前述のモニタ（０６）が設置される。前記上方カバー（０７）は、キーボード（０４）及びマウス（４‐Ａ）を支持する責任をも有し、その開閉は衝撃吸収体（１６）の使用により促進されている。
【０００７】
図面により気付かされ得るように、下方区画（０３）はその後方及び前方部分内に広告用に使用され得る利用可能な空間を作る。換言すれば、図７〜１０の構成中において、前記下方区画（０３）が携帯電話充電部の接続用の少なくとも一つのメスコネクタ（１０）をも有することに加えて、宣伝部（０９）が上方カバー（０７）により保護された上方区画の内部に存在し、これにより前記メスコネクタ（１０）がコンピュータ（１８）のバッテリーによって、又はカバー（１６）を有する中間区画（１７）内に置かれた第二のバッテリーによってさえ電力を供給される。
【０００８】
本明細書の空港トロリーの紹介において気付かされるように、下方区画（０３）は、下方区画（０３）を支持する支持バー（０８）を通じて荷物トロリー（０１）の構造上に形成される。前記下方区画（０３）は、マイクロコンピュータ（１８）の使用のための全ての必要な構成部品、例えば無線データ通信装置、ディスケット又はディスク記録ドライバ、またコンピュータに電力供給するための電池が当該目的のためのケーブルを通じて折り畳みキーボード（０４）及びモニタ（０６）と相互に結合される方法により、これらの装備のためのキャビネット機能を有する。図７〜１０の配置において既に説明されたように、マイクロコンピュータ（１８）もまた下方カバー（３‐Ａ）により保護された下方区画の内部に置かれ、前記下方区画は全ての無線データ伝送装置又は類似品、ディスケット又はディスク記録ドライバ、高速かつ容易な使用を可能にするＵＳＢ入力ドア（１４）、あるいはプレーステーション（Playstation）又は類似品のようなゲーム装置、含まれたウェブカメラ（１９）又は類似品、並びにクレジット又はプリペイドカードを通じた支払用の読み取り装置（１５）を有し、バッテリー又はより長い自律性のための一以上のユニットが中間区画（１７）内に置かれる。
【０００９】
図４は、使用者が前述の組み込みマウスを有するキーボード（０４）について最良の角度を選択することを可能にする、拡大された折り畳みキーボード（０４）を示す。一方図８においては、キーボードは上方カバー（０７）上に設置され、上述されたスクロールバータイプ又は類似の前記マウスであるマウスセット（４‐Ａ）は、容易に作業されるようキーボードから離れて配置される。そして安全性のために、前記マウスセット（４‐Ａ）もまた前記上方カバー（０７）に結び付けられ、これにより使用者は快適に席に案内され得て、同時にノートブックにおけるマウスに似た組み込みマウス又は分離したマウス（４‐Ａ）に加えてコンピュータが有するキーボードを通じてコンピュータ上において利用可能なサービスを使用することができ、さらに下方区画（０３）の側面上又は上方区画の内部に設置されたメスコネクタ（１０）を通じて携帯電話のバッテリーを再充電することができる。
【００１０】
見られるように、図１〜６に提示される「組み込みパーソナルコンピュータを有する空港荷物トロリー」は、二つの視覚的構成アセンブリにより示されるが、図１〜６に提示されたアセンブリ配置は、空港内部の搭乗室において一般公衆によって使用されるべき実際の空港荷物トロリーについて考えられる方法により単純化されたアセンブリである。前記搭乗室において搭乗者は通常より大きな荷物を運び、図７〜１０に提示された配置においては、手荷物のみが認められる出発ゲート室において使用されるべき同一の用途及び機能のための同一の装置を示す。これは、荷物かご（０２）が新しいアセンブリ配置の前面下方部分のために移動された理由である。
【００１１】
実際に全ての飛行機の搭乗者が自分達の荷物を運ぶために、手荷物を運ぶためにさえトロリーを必要とすることが知られており、本発明の方法により搭乗者は楽しむことができ、組み込みコンピュータを有するトロリーを求め又は必要とする場合に、搭乗者は安全デポジットによって必要な時間について空港内部において所定の前提によりトロリーを賃貸することができる。
【図面の簡単な説明】
【００１２】
【図１】キーボード及びモニタが視覚化され得る方法により、後方視点からの空港トロリーを示す。
【図２】図１と同一のものを示すが、参照される本発明の配置及び組み立てが理解され得る方法により装置が展開図により示される。
【図３】直交前面図により適切に組み立てられた空港荷物トロリーを示す。
【図４】空港荷物トロリー上に適切に設置された折り畳みキーボード及びモニタの拡大図を示す。
【図５】整列した空港荷物トロリーの後方視点からの配置を示し、分離したトロリーはトロリーがどのように格納されるかを示す。
【図６】図５と同一の配置を示すが、前方視点からの配置を示す。
【図７】図１〜６のプッシュカートの側面図を示すが、荷物トロリーの全てのインターネット構成要素が保持される外部区画を有する。
【図８】図７と同様であるが、説明される荷物トロリーの上方部分の内部の視覚化を可能にする異なる角度からの斜視図を示す。
【図９】第二のカバーが開かれているが、当該内部部分の視覚化を可能にする下方部分の異なる角度からの斜視図を示す。
【図１０】図７と同一の図であるが、全てのドアが開かれ、インターネットアクセスと構成要素の完全な格納方法の理解を可能にする。
【図１】
2009521360.tif 000003
【図２】
2009521360.tif 000004
【図３】
2009521360.tif 000005
【図４】
2009521360.tif 000006
【図５】
2009521360.tif 000007
【図６】
2009521360.tif 000008
【図７】
2009521360.tif 000009
【図８】
2009521360.tif 000010
【図９】
2009521360.tif 000011
【図１０】
2009521360.tif 000012
【国際調査報告】
2009521360.tif 000013
2009521360.tif 000014
2009521360.tif 000015